(57)【要約】【課題】ケーブルの布設作業時において把持金具のナットやワッシャ等の部材を取り外すことなく、且つケーブルを迅速且つ容易に把持することができ、その結果高信頼性のケーブル把持を得ることができるケーブル把持金具及びケーブル把持方法を提供すること。【解決手段】（１）半円状金属板バンドとボルト穴切欠部付半円状金属板バンドとを互いに向かい合わせて円形のケーブル把持部を構築して成るケーブル把持金具。（２）設置面に所定間隔をおいて２本の上下段固定用ボルトを立設した後、その２本の上下段固定用ボルトの下部へ半円バンド固定用下側ナットを螺合し、次に前記２本の上下段固定用ボルトを介して半円状金属板バンドを装着し、次にその装着した半円状金属板バンドの内周面内へケーブルを入れ、次に前記２本の上下段固定用ボルトを介してボルト穴切欠部付半円状金属板バンドを装着し、然る後前記２本の上下段固定用ボルトの上端から半円バンド固定用上側ナットを螺合することにより円形のケーブル把持部を構築することを特徴とするケーブル把持方法。【選択図】　　　図１
2004015885.tif 000002
【特許請求の範囲】
【請求項１】
中間部分が半円状成形部分で、且つ該半円状成形部分の両端側がそれぞれ外方へ直線的に突き出た端子板部となっておりしかも前記両端側の端子板部の中心位置にそれぞれボルト穴が貫通、開口して成る半円状金属板バンドの二個を互いに向かい合わせて円形のケーブル把持部を構築して成るケーブル把持金具において、前記２個の半円状金属板バンドのうちの少なくとも一個はボルト穴に切欠部があるボルト穴切欠部付半円状金属板バンドであることを特徴とするケーブル把持金具。
【請求項２】
設置面に所定間隔をおいて２本の上下段固定用ボルトを立設した後、該２本の上下段固定用ボルトの下部側にそれぞれ半円バンド固定用下側ナットを螺合し、次に前記２本の上下段固定用ボルトの上端部から中間部分が半円状成形部分で、且つ該半円状成形部分の両端側がそれぞれ外方へ直線的に突き出た端子板部となっておりしかも該端子板部の中心位置にそれぞれボルト穴が貫通、開口して成る半円状金属板バンドを装着し、次に該半円状金属板バンドの内周面内にケーブルを装着し、次に前記２本の上下段固定用ボルトの上端部から中間部分が半円状成形部分で、且つ該半円状成形部分の両端側がそれぞれ外方へ直線的に突き出た端子板部となっておりしかも前記両端側の端子板部の中心位置にそれぞれボルト穴が貫通、開口してあると共に該２個のボルト穴の少なくとも一方側のボルト穴に切欠部があるボルト穴切欠部付半円状金属板バンドを装着し、然る後前記２本の上下段固定用ボルトの上端部から半円バンド固定用上側ナットを螺合することにより円形のケーブル把持部を構築することを特徴とするケーブル把持方法。
【発明の詳細な説明】
【０００１】
【発明の属する技術分野】
本発明はケーブル把持金具及びケーブル把持方法に関するものである。更に詳述すれば本発明は外径が太い断面が円形の通信ケーブル、例えば放送局舎敷地内布設用同軸ケーブルの２本を縦二段に把持布設することができるケーブル把持金具及びケーブル把持方法に関するものである。
【０００２】
【従来の技術】
一般に、電力ケーブルや通信ケーブル等のケーブルは外径が太く、且つ重量も大きい。このような外径が太く、且つ重量が大きいケーブルはその諸特性を完全に発揮させるため整然と布設することが重要である。
【０００３】
放送局舎の敷地内に布設する同軸ケーブルはその２本を縦２段に所定間隔をおいて整然と布設する必要がある。
【０００４】
図４は従来のケーブル把持金具を用いて２本の同軸ケーブルを布設する方法を示した説明図であって、その（イ）は正面説明図、（ロ）は上部側のみを分解して示した正面説明図、（ハ）は上面説明図である。
【０００５】
図４において１は設置面、２はベース固定用ボルト、３はベース固定用下側ナット、４はベース固定用ワッシャ、５はベース固定用上側ナット、６は第１段下半円バンド固定用下側ナット、７は第１段下半円バンド固定用上側ワッシャ、８は第１段下半円バンド、８ａは第１段下半円バンド端子板部、８ｂは第１段下半円バンド凹溝固定部、９は第１段上半円バンド、９ａは第１段上半円バンド端子板部、１０は凹溝固定ナット、１１は上下段固定用ボルト、１２は第１段下半円バンド固定用下側ナット、１３は第１段下半円バンド固定用下側ワッシャ、１４は第１段下半円バンド固定用上側ナット、１５は第２段下半円バンド、１５ａは第２段下半円バンド端子板部、１６は第２段上半円バンド、１６ａは第２段上半円バンド端子板部、１７は第２段下半円バンド固定用下側ナット、１８は第２段下半円バンド固定用上側ワッシャ、１９は第２段下半円バンド固定用上側ナット、２０は把持するケーブル、例えば同軸ケーブルである。
【０００６】
図４において従来のケーブル把持金具とは、第１段下半円バンド８と第１段上半円バンド９とから成る第１段把持部、第２段下半円バンド１５と第２段上半円バンド１６と成る第２段把持部である。
【０００７】
これらのうち第１段下半円バンド８はその底部に第１段下半円バンド凹溝固定部８ｂが設けられており、且つこの第１段下半円バンド凹溝固定部８ｂの中心には図示しないがボルト穴が開口されている断面が半円形状の金属板バンドである。
【０００８】
また、第１段上半円バンド９は上下２分割方式の半円形状の金属板バンドである。更に、第２段下半円バンド１５と第２段上半円バンド１６とは上下２分割方式の半円形状の金属板バンドである。そしてこれら半円形状の金属板バンドの両端にはそれぞれ端子板部が設けられており、それら端子板部には図示しないがそれぞれボルト穴が開口されている。これらこれら半円形状の金属板バンドはそれらのボルト穴を介して上下段固定用ボルト１１へ装着され、螺合、固定できるようになっている。
【０００９】
次に、この従来のケーブル把持金具を用いてケーブル把持手順について説明する。
【００１０】
まず、設置面１にベース固定用ボルト２がベース固定用下側ナット３とベース固定用上側ナット４とベース固定用ワッシャ５とにより立設、固定する。
【００１１】
次に、その立設、固定したベース固定用ボルト２の上部に第１段下半円バンド固定用下側ナット６を螺合してからその第１段下半円バンド固定用下側ナット６上に第１段下半円バンド固定用上側ワッシャ７を入れ、それからその第１段下半円バンド固定用上側ワッシャ７上に第１段下半円バンド８を載せ、最後にその第１段下半円バンド８の底部にある第１段下半円バンド凹溝固定部８ｂ内に垂直方向に突き出させたベース固定用ボルト２の上部に凹溝固定ナット１０を螺合、固定する。
【００１２】
次に、そのベース固定用ボルト２の上部に固定した第１段下半円バンド８の上部側にある第１段下半円バンド端子板部８ａ、８ａの図示しないボルト穴に上下段固定用ボルト１１、１１を通し，それからそれら上下段固定用ボルト１１、１１の下端部に第１段下半円バンド固定用下側ナット１２、１２と第１段下半円バンド固定用下側ワッシャ１３，１３とを用いて第１段下半円バンド端子板部８ａ、８ａへ螺合、固定する。
【００１３】
次に、このように固定した第１段下半円バンド８の内周面内に図４（ロ）に示すように把持するケーブル２０を静かに下ろす。
【００１４】
次に、第１段上半円バンド９をその下部側にある第１段上半円バンド端子板部９ａ、９ａの図示しないボルト穴を介して上下段固定用ボルト１１、１１を通して第１段下半円バンド８の上へ静かに落とす。
【００１５】
次に、それら上下段固定用ボルト１１、１１の上端部から第１段下半円バンド固定用上側ナット１４、１４を下方まで螺合することにより第１段上半円バンド９と第１段下半円バンド８とを一体化させて第１段把持部を構築し、それによってその第１段把持部内にケーブル２０を強固に把持する。
【００１６】
次に、その上下段固定用ボルト１１、１１の上端部から第２段下半円バンド固定用下側ナット１７、１７をその上下段固定用ボルト１１、１１の上部側の所定位置まで螺合する。
【００１７】
次に、それら上下段固定用ボルト１１、１１の上端部から第２段下半円バンド１５をその下側にある第２段下半円バンド端子板部１５ａ、１５ａの図示しないボルト穴を介して通し、先に螺合した第２段下半円バンド固定用下側ナット１７、１７上に落下させる。
【００１８】
次に、このように固定した第２段下半円バンド１５の内周面内に図示しないがケーブル２０を静かに下ろす。
【００１９】
次に、上下段固定用ボルト１１、１１の上端部から第２段上半円バンド１６、１６をその下部側にある第２段上半円バンド端子板部１６ａ、１６ａの図示しないボルト穴を介して通して先に螺合した第２段下半円バンド１５、１５上へ落下させる。
【００２０】
最後に、同じくその上下段固定用ボルト１１、１１の上端部から第２段下半円バンド固定用上側ワッシャ１８、１８を下方へ落下させ、それから同じくその上下段固定用ボルト１１、１１の上端部から第２段下半円バンド固定用上側ナット１９、１９を螺合することにより第２段下半円バンド１５と第２段上半円バンド１６とを一体化して第２段把持部を構築すると共にその第２段把持部内にケーブル２０を強固に把持する。
【００２１】
このようにして従来のケーブル把持金具では第１段上半円バンド９と第１段下半円バンド８とから成る第１段ケーブル把持部と、第２段下半円バンド１５と第２段上半円バンド１６とから成る第２段ケーブル把持部とが得られる。
【００２２】
【発明が解決しようとする課題】
しかしながら従来のケーブル把持金具を用いてケーブル２０を布設するときには、次のような厄介な作業手順を行う必要があった。
【００２３】
まず、指定された布設場所の設置面１にベース固定用ボルト２をベース固定用下側ナット３、ベース固定用ワッシャ４及びベース固定用上側ナット５を用いて立設、固定する。
【００２４】
次に、その立設、固定したベース固定用ボルト２の上部に第１段下半円バンド固定用下側ナット６を螺合する。
【００２５】
次に、それら第１段下半円バンド固定用下側ナット６上に第１段下半円バンド固定用上側ワッシャ７を入れ、それからその第１段下半円バンド固定用上側ワッシャ７上に第１段下半円バンド８を載せ、最後にその第１段下半円バンド８の底部にある第１段下半円バンド凹溝固定部８ｂ内に垂直方向に突き出させたベース固定用ボルト２の上部に凹溝固定ナット１０を螺合、固定することにより第１段下半円バンド８を固定する。
【００２６】
次に、予め工場の生産段階で中間組み立てしておいた第１段ケーブル把持部の第１段上半円バンド９と、第２段ケーブル把持部の第２段下半円バンド１５と、第２段上半円バンド１６とから成る中間組立品の大半を解体する。これの解体作業はまず第２段下半円バンド固定用上側ナット１９、第２段下半円バンド固定用上側ワッシャ１８、第２段下半円バンド固定用下側ナット１７を順次緩めて取り外し、次に第２段上半円バンド１６と第２段下半円バンド１５とを取り外し、更に第１段上半円バンド９も取り外すという厄介なものである。
【００２７】
次に、先に布設現地で固定した第１段下半円バンド８の内側へ把持するケーブル２０を静かに下ろし、それから一旦解体しておいた第１段上半円バンド９を装着する。
【００２８】
次に、上下段固定用ボルト１１の上端部から一旦取り外しておいた第１段下半円バンド固定用上側ナット１４を螺合することによりケーブル２０を把持する。
【００２９】
次に、上下段固定用ボルト１１の上端部から一旦取り外しておいた第２段下半円バンド固定用下側ナット１７を螺合し、それから一旦解体しておいた第２段下半円バンド１５を装着し、更にその第２段下半円バンド１５の内周面に把持するケーブル２０を静かに下ろす。
【００３０】
次に、そのケーブル２０の上に一旦解体しておいた第２段上半円バンド１６を下ろし、それから上下段固定用ボルト１１の上端部から一旦取り外しておいた第２段下半円バンド固定用上側ワッシャ１８を入れ、それから一旦取り外しておいた第２段下半円バンド固定用上側ナット１９を螺合することによりケーブル２０を把持する。
【００３１】
このような訳で従来の把持金具の多くの部材をケーブルの布設時に取り外したり、解体する必要があり、その結果布設工数が多く掛かってしまうという難点があった。しかもこれらの多くの部材を外す際に、小さい部品を落下させたり、紛失したりする恐れもあった。
【００３２】
本発明はかかる点に立って為されたものであって、その目的とするところは前記した従来技術の欠点を解消し、ケーブルの布設作業時において把持金具のナットやワッシャ等の部材を取り外すことなくケーブルを迅速、且つ容易に把持することができ、その結果高信頼性のケーブル把持を得ることができるケーブル把持金具及びケーブル把持方法を提供することにある。
【００３３】
【課題を解決するための手段】
本発明の要旨とするところは、次の２点にある。
（１）半円状金属板バンドとボルト穴切欠部付半円状金属板バンドとを互いに向かい合わせて円形のケーブル把持部を構築して成るケーブル把持金具。
（２）設置面に所定間隔をおいて２本の上下段固定用ボルトを立設した後、その２本の上下段固定用ボルトの下部へ半円バンド固定用下側ナットを螺合し、次に前記２本の上下段固定用ボルトを介して半円状金属板バンドを装着し、次にその装着した半円状金属板バンドの内周面内へケーブルを入れ、次に前記２本の上下段固定用ボルトを介してボルト穴切欠部付半円状金属板バンドを装着し、然る後前記２本の上下段固定用ボルトの上端から半円バンド固定用上側ナットを螺合することにより円形のケーブル把持部を構築することを特徴とするケーブル把持方法。
【００３４】
【発明の実施の形態】
次に、本発明のケーブル把持金具の実施例及びケーブル把持方法について図面により説明する。
【００３５】
図１は本発明のケーブル把持金具の一実施例及びケーブル把持方法の一実施例を示した斜視説明図である。
【００３６】
また、図２は図１に示す第１段上側半円バンドの拡大図を示したものであって、（イ）はその拡大正面図、（ロ）はその拡大上面図である。
【００３７】
図１及び図２において１１は上下段固定用ボルト、１２は第１段下半円バンド固定用下側ナット、１３は第１段下半円バンド固定用下側ワッシャ、１４は第１段下半円バンド固定用上側ナット、１７は第２段下半円バンド固定用下側ナット、１８は第２段下半円バンド固定用上側ワッシャ、１９は第２段下半円バンド固定用上側ナット、２０はケーブル、２１は第１段下側半円バンド、２１ａ、２１ａは端子板部、２１ｃ、２１ｃはボルト穴、２２は第１段上側半円バンド、２２ａ、２２ａは端子板部、２２ｃはボルト穴、２２ｄは切欠ボルト穴、２３は第２段下側半円バンド、２３ａ、２３ａは端子板部、２３ｃはボルト穴、２３ｄは切欠ボルト穴、２４は第２段上側半円バンド、２４ａ、２４ａは端子板部、２４ｃはボルト穴、２４ｄは切欠ボルト穴である。
【００３８】
図１及び図２から分かるように本発明の一実施例のケーブル把持金具は、下側金属板バンド２１と第１段上側半円バンド２２とから成る第１段把持金具と、第２段下側半円バンド２３と第２段上側半円バンド２４とから成る第２段把持金具とから構成される。
【００３９】
第１段把持金具は半円状金属板から成り、且つその半円状両端部には外方へ突き出た端子板部２１ａ、２１ａを有ししかもその端子板部２１ａ、２１ａの中心位置にはボルト穴２１ｃ、２１ｃが貫通、開口してある下側金属板バンド２１と、半円状金属板から成り、且つその半円状両端部には外方へ突き出た端子板部２２ａ、２２ａを有ししかもその一方側の端子板部２２ａの中心位置にはボルト穴２２ｃが貫通、開口してあり、その他方側の端子板部２２ａの中心位置には切欠ボルト穴２２ｄが貫通、開口してある第１段上側半円バンド２２とから成っている。
【００４０】
第２段把持金具は半円状金属板から成り、且つその半円状両端部には外方へ突き出た端子板部２３ａ、２３ａを有ししかもその一方側の端子板部２３ａの中心位置にはボルト穴２３ｃが貫通、開口してあり、その他方側の端子板部２３ａの中心位置には切欠ボルト穴２３ｄが貫通、開口してある第２段下側半円バンド２３と、半円状金属板から成り、且つその半円状両端部には外方へ突き出た端子板部２４ａ、２４ａを有ししかもその一方側の端子板部２４ａの中心位置にはボルト穴２４ｃが貫通、開口してあり、その他方側の端子板部２４ａの中心位置には切欠ボルト穴２４ｄが貫通、開口してある第２段上側半円バンド２４とから成っている。
【００４１】
これらのうち最下部に固定される下側金属板バンド２１はケーブル２０の布設工事に際して取り外したり、再び取り付けたりすることをしない。これに対して第１段上側半円バンド２２、第２段下側半円バンド２３、第２段上側半円バンド２４の３者はケーブル２０の布設工事に際して取り外したり、再び取り付けたりする。このため第１段上側半円バンド２２、第２段下側半円バンド２３、第２段上側半円バンド２４の３者の端子板部２４ａ、２４ａのうちの他方側の端子板部２２ａ、２３ａ、２４ａの中心位置にはそれぞれ切欠ボルト穴２２ｄ、２３ｄ、２４ｄが貫通、開口してある。
【００４２】
さて、上記のような各構成部材を組み合わせて図１に示すような本発明のケーブル把持金具の一実施を構築した後、上下段固定用ボルト１１に取り付けられている第１段下半円バンド固定用下側ワッシャ１３、第１段下半円バンド固定用上側ナット１４、第２段下半円バンド固定用上側ワッシャ１８、第２段下半円バンド固定用上側ナット１９を緩めたときには、第１段上側半円バンド２２、第２段下側半円バンド２３、第２段上側半円バンド２４の３者は切欠ボルト穴２２ｄ、２３ｄ、２４ｄのところを介して固定用ボルト１１に対して左右に自由に回動することができる。当然、左右に自由に回動した第１段上側半円バンド２２、第２段下側半円バンド２３、第２段上側半円バンド２４の３者には、切欠ボルト穴２２ｄ、２３ｄ、２４ｄのところを介してケーブル２０を自由に出し入れすることができる。
【００４３】
このように第１段把持部及び第２段把持部にそれぞれケーブル２０を装着してから上下段固定用ボルト１１に取り付けられている第１段下半円バンド固定用下側ワッシャ１３と第１段下半円バンド固定用上側ナット１４等をねじ締めすることにより第１段把持部が構築され、そして第２段下半円バンド固定用上側ワッシャ１８と第２段下半円バンド固定用上側ナット１９等をねじ締めすることにより第２段把持部が構築される。
【００４４】
このように本発明の一実施例のケーブル把持金具及びケーブル把持方法によれば、上下段固定用ボルト１１に取り付けられている第１段下半円バンド固定用下側ワッシャ１３、第１段下半円バンド固定用上側ナット１４、第２段下半円バンド固定用上側ワッシャ１８、第２段下半円バンド固定用上側ナット１９等を取り外すことなく、単に緩めるだけでケーブル２０を自由に出し入れすることができ、それによりケーブル２０の布設工事性を顕著に向上することができると共にケーブル把持金具の落下事故、紛失事故等も皆無にでき、その結果布設したケーブルの信頼性を顕著に向上することができる。
【００４５】
図３は本発明のケーブル把持金具の他の一実施例を示したものであって、その（イ）はその第２段上側半円バンドを示した斜視図，（ロ）はその第２段上側半円バンドと第２段下側半円バンドとから成る第２段把持部を示した斜視図である。　図３において２５は第２段下側半円バンド、２５ａ、２５ａは端子板部、２５ｃはボルト穴、２５ｆは突起部、２６は第２段上側半円バンド、２６ａ、２６ａは端子板部、２６ｃはボルト穴、２６ｄは切欠ボルト穴である。
【００４６】
即ち、図３に示す本発明の他の一実施例のケーブル把持金具は本発明のケーブル把持金具の第２段把持部を構築するものであって、その特徴とするところは第２段下側半円バンド２５の一方側の端子板部２５ａの側壁面側に設けられた突起部２５ｆにある。つまりボルト穴２６ｃを中心に第２段上側半円バンド２６を回動させたとき、図３（口）に示すような突起部２５ｆにより図示しないナットを締付けた状態下で上下段固定用ボルト１１が抜ける方向ヘ第２段上側半円バンド２６がずれることを防止することができる。
【００４７】
【発明の効果】
本発明のケーブル把持金具及びケーブル把持方法によれば上下段固定用ボルトに取り付けられている第１段下半円バンド固定用下側ワッシャ、第１段下半円バンド固定用上側ナット、第２段下半円バンド固定用上側ワッシャ、第２段下半円バンド固定用上側ナット等を取り外すことなく、単に緩めるだけでケーブルを自由に出し入れすることができ、それによってケーブルの布設工事を迅速、且つ容易に行うことができると共にケーブル把持金具の落下事故、紛失事故等も皆無にでき、更に布設ケーブルの信頼性を顕著に向上することができる。
【図面の簡単な説明】
【図１】本発明のケーブル把持金具の一実施例及びケーブル把持方法示した斜視説明図である。
【図２】図１に示す第１段上側半円バンドの拡大図を示したものであって、（イ）はその拡大正面図、（ロ）はその拡大上面図である。
【図３】図３は本発明のケーブル把持金具の他の一実施例を示したものであって、その（イ）はその第２段上側半円バンドを示した斜視図，（ロ）はその第２段上側半円バンドと第２段下側半円バンドとから成る第２段把持部を示した斜視図である。
【図４】図４は従来のケーブル把持金具を用いてケーブルを布設する様子を示した説明図であって、その（イ）は正面説明図、（ロ）は上部側のみを分解して示した正面説明図、（ハ）は上面説明図である。
【符号の説明】
１　設置面
２　ベース固定用ボルト
３　ベース固定用下側ナット
４　ベース固定用ワッシャ
５　ベース固定用上側ナット
６　第１段下半円バンド固定用下側ナット
７　第１段下半円バンド固定用上側ワッシャ
８　第１段下半円バンド
８ａ　第１段下半円バンド端子板部
８ｂ　第１段下半円バンド凹溝固定部
９　第１段上半円バンド
９ａ　第１段上半円バンド端子板部
１０　凹溝固定ナット
１１　上下段固定用ボルト
１２　第１段下半円バンド固定用下側ナット
１３　第１段下半円バンド固定用下側ワッシャ
１４　第１段下半円バンド固定用上側ナット
１５　第２段下半円バンド
１５ａ　第２段下半円バンド端子板部
１６　第２段上半円バンド
１６ａ　第２段上半円バンド端子板部
１７　第２段下半円バンド固定用下側ナット
１８　第２段下半円バンド固定用上側ワッシャ
１９　第２段下半円バンド固定用上側ナット
２０　把持するケーブル
２１　第１段下側半円バンド
２１ａ　端子板部
２１ｃ　ボルト穴
２２　第１段上側半円バンド
２２ａ　端子板部
２２ｃ　ボルト穴
２２ｄ　切欠ボルト穴
２３　第２段下側半円バンド
２３ａ　端子板部
２３ｃ　ボルト穴
２３ｄ　切欠ボルト穴
２４　第２段上側半円バンド
２４ａ　端子板部
２４ｃ　ボルト穴
２４ｄ　切欠ボルト穴
２５　第２段下側半円バンド
２５ａ　端子板部
２５ｃ　ボルト穴
２５ｆ　突起部
２６　第２段上側半円バンド
２６ａ　端子板部
２６ｃ　ボルト穴
２６ｄ　切欠ボルト穴
【図１】
2004015885.tif 000003
【図２】
2004015885.tif 000004
【図３】
2004015885.tif 000005
【図４】
2004015885.tif 000006